(57)【要約】【課題】  図柄に使用できる色の数に制限がなく、細い線も描写可能で、鮮明な図柄を表現でき、見た目に優れた飴を提供することにある。【解決手段】  可食性を有し表面に文字、模様等の図柄が施された固形物と、固形物を包み込むと共に図柄を外部から視認可能な飴材とからなることを特徴とし、また、固形物にナッツや梅干等の固形食品を用いたり、チョコレートやシュガークラフト等の加工食品を用いたり、さらに、図柄を写真としたり、固形物をシート状にして図柄を印刷することを特徴とする。【選択図】図２
0003112012.tif 000002
【実用新案登録請求の範囲】
【請求項１】
可食性を有し表面に文字、模様等の図柄が施された固形物と、
該固形物を包み込むと共に該図柄を外部から視認可能な飴材とからなることを特徴とする飴。
【請求項２】
前記固形物が、ナッツや梅干等の固形食品であることを特徴とする請求項１記載の飴。
【請求項３】
前記固形物が、チョコレートやシュガークラフト等の加工食品であることを特徴とする請求項１記載の飴。
【請求項４】
前記図柄が写真であることを特徴とする請求項１から請求項３のいずれかに記載の飴。
【請求項５】
前記固形物がシート状で、前記図柄が印刷されていることを特徴とする請求項１から請求項４のいずれかに記載の飴。
【請求項６】
前記図柄が、前記固形物の両面に施されていることを特徴とする請求項１から請求項５のいずれかに記載の飴。
【考案の詳細な説明】
【技術分野】
【０００１】
本考案は、内部に図柄を施した飴に関する。
【背景技術】
【０００２】
従来から飴の表面から見える図柄を施す方法として、異なる色の複数の飴を積層して図柄を形成させる方法が用いられてきた。具体的には、例えば金太郎飴のように顔を構成する色に着色された細長い飴を端面に顔が表れるように積層して固めることにより、図柄を備える飴を作り出していた。
尚、この先行技術は、文献公知に係るものでないため、記載すべき先行技術文献情報はない。
【考案の開示】
【考案が解決しようとする課題】
【０００３】
しかしながら、従来の飴では、使用できる色の数に限りがあったり、図柄が不鮮明であったりと、見た目に劣っていた。
【０００４】
本考案は、このような事情に鑑みてなされたもので、図柄に使用できる色の数に制限がなく、細い線も描写可能で、鮮明な図柄を表現でき、見た目に優れた飴を提供することにある。
【課題を解決するための手段】
【０００５】
請求項１記載の飴は、可食性を有し表面に文字、模様等の図柄が施された固形物と、固形物を包み込むと共に図柄を外部から視認可能な飴材とからなることを特徴とする。
【０００６】
請求項２記載の飴は、固形物が、ナッツや梅干等の固形食品であることを特徴とする。
【０００７】
請求項３記載の飴は、固形物が、チョコレートやシュガークラフト等の加工食品であることを特徴とする。
【０００８】
請求項４記載の飴は、図柄が写真であることを特徴とする。
【０００９】
請求項５記載の飴は、固形物がシート状で、図柄が印刷されていることを特徴とする。
【００１０】
請求項６記載の飴は、図柄が、固形物の両面に施されていることを特徴とする。
【考案の効果】
【００１１】
請求項１の考案によれば、固形物にあらかじめ図柄が施された状態で飴材で包み込まれていることから、図柄に使用できる色の数に制限がなく、細い線も描写可能で、鮮明な図柄を表現でき、見た目に優れている。
【００１２】
請求項２の考案によれば、固形物がナッツや梅干等の固形食品であることから、図柄による見た目が優れると共に、固形食品の食感や味を楽しむこともできる。
【００１３】
請求項３の考案によれば、固形物がチョコレートやシュガークラフト等の加工食品であることから、図柄による見た目が優れると共に、加工食品の食感や味を楽しむこともできる。
【００１４】
請求項４の考案によれば、図柄が写真であることから、見た目に優れている。
【００１５】
請求項５の考案によれば、固形物がシート状で図柄が印刷されていることから、製造が容易で、大量生産も可能である。
【００１６】
請求項６の考案によれば、図柄が固形物の両面に施されていることから、図柄を見やすくしたり、複数の図柄を施すことができたりと、見た目に優れている。
【考案を実施するための最良の形態】
【００１７】
以下、本考案の形態について図面を参照しながら具体的に説明する。本考案の形態における飴は、内部に図柄を施したものである。図１は、本考案に係る飴の一例を示す外観図である。図２は、図１のＩＩ−ＩＩ線矢視断面図である。図３は同飴の製造方法を示す説明図、図４は同飴の製造方法を示すフォローチャートである。尚、図柄とは、文字、線画、模様、色彩等であり、写真や絵画等の著作物も含み、色の数も制限されるものではない。
【００１８】
図において、飴１は、可食性を有し表面に図柄１０ａが施された固形物であるポイントシート１０と、ポイントシート１０を包み込むと共に図柄１０ａを外部から視認可能な飴材５とからなる。飴材５は、水飴と砂糖を煮詰め香料を加えた加工水飴を固形化させたものであり、透明又は半透明である。尚、飴材５は図柄１０ａを飴１の外部から視認可能であればよく、例えば食用インクで着色されていてもかまわない。尚、飴材５は飴として食することができるものであれば特に材質によって限定されるものではない。
【００１９】
ポイントシート１０は、澱粉シートであり、表面に図柄１０ａが描かれている。図柄１０ａを描く方法としては、印刷や押印等の方法があり、ポイントシート１０の可食性を損なわない方法であればよい。図柄１０ａとして写真を用いる場合には、例えば写真印刷となる。尚、図柄１０ａが施される面は、片面に限られず両面であっても構わない。また、ポイントシート１０の厚みは、飴材５が包み込むことが可能な範囲であればよく、例えばフィルム状で透明なものであってもよい。尚、ポイントシート１０は図柄１０ａを施すことが可能で、可食性を有すれば特に材質によって限定されるものではない。
【００２０】
次に、図３及び図４をもとに本実施例の飴１の製造方法を説明する。尚、以後の説明において、括弧内の符号は図４のフローチャートの符号に対応している。まず、水飴と砂糖を煮詰め香料を加えて加工水飴を作成する（Ｓ１０１）。次に、図３（ａ）に示すような椀状で直径２５ｍｍ程度の型２０を用意し、型２０に加工水飴を約２ｇ流し込む（図３（ｂ）、Ｓ１０２）。この第１回流し込みでは、加工水飴は型２０の底からほぼ真ん中程度の高さまでである。
【００２１】
次に、最初に流し込んだ飴材５ａが半固形化した上に、あらかじめ図柄１０ａが施されたポイントシート１０を載置する（図３（ｃ）、Ｓ１０３）。この場合のポイントシート１０の円形で直径が約２０ｍｍである。そして、載置したポイントシート１０の上から、型２０に加工水飴を約１．６ｇ流し込む（図３（ｄ）、Ｓ１０４）。そして、充填した飴材５ａ，５ｂが冷却し一体になったところで、型２０からはずす（Ｓ１０５）。最後に、できあがった飴１を包装して完成する（Ｓ１０６）。
【００２２】
以上のように本実施例の飴１は、固形物であるポイントシート１０にあらかじめ図柄１０ａが施された状態で飴材５で包み込まれていることから、図柄１０ａに使用できる色の数に制限がなく、細い線も描写可能で、鮮明な図柄を表現でき、見た目に優れている。
【００２３】
また、従来の飴では、棒状に長く作り、その端面で切り落とすことで１つ１つの飴を切り出していることから、一度に同じ図柄の飴が大量にできることになり、数個といった少数の製造には適さない。しかしながら、本実施例の飴１では、ポイントシート１０を一枚だけ作成し、飴材５で包み込むことも可能であり、１個から飴１の製造が可能である。
【００２４】
さらに、従来の飴では、異なる色の複数の飴を積層して図柄を形成させて図柄を作り出すことは熟練を要し、製造が困難であった。しかしながら、本実施例の飴１では、あらかじめポイントシート１０に印刷等で図柄１０ａを完成していることから、飴材５の内部において図柄１０ａを完成させる必要がなく、飴１の製造が容易である。
【００２５】
さらに、図柄１０ａを写真にすることで、見た目により優れた飴１を製造することができる。
【００２６】
さらに、固形物をシート状にして図柄１０ａを印刷することで、製造が容易で、大量生産も可能である。
【００２７】
さらに、図柄１０ａを固形物の両面に施すことで、図柄１０ａを見やすくしたり、複数の図柄１０ａを施すことができたりと、見た目に優れた飴１を製造することができる。
【００２８】
尚、図柄１０ａの具体例としては、花や動物のイラスト、キャラクター、会社や各種団体のロゴマーク、花や動物の写真等であり、飴１の販売や譲渡目的により種々選択することができる。
【００２９】
尚、本実施例では、図柄が施された固形物としてシート状のポイントシート１０について説明したが、シート状のものに限られるものではない。他の例としては、まず、固形物としてナット、梅干、ドライフルーツ、ハーブ等の固形食品がある。固形食品自体の色彩等を図柄として用いることも可能であり、また、加工食品の表面に新たに図柄を施して用いることも可能である。また、複数の固形食品で図柄を形成させることも可能である。さらに、固形食品の形状により図柄を形成させることも可能である。このように、固形物をナッツや梅干等の固形食品にすることで、図柄による見た目が優れると共に、固形食品の食感や味を楽しむこともできる。
【００３０】
また、他の例としては、固形物としてチョコレートやシュガークラフト等の加工食品である。加工食品自体の色彩等を図柄として用いることも可能であり、また、加工食品の表面に新たに図柄を施して用いることも可能である。また、複数の加工食品で図柄を形成させることも可能である。さらに、加工食品の形状により図柄を形成させることも可能である。このように、固形物をチョコレートやシュガークラフト等の加工食品にすることで、図柄による見た目が優れると共に、加工食品の食感や味を楽しむこともできる。
【産業上の利用可能性】
【００３１】
以上のように、本考案によれば、装飾性に優れた飴に適用できる。
【図面の簡単な説明】
【００３２】
【図１】本考案に係る飴の一例を示す外観図である。
【図２】図１のＩＩ−ＩＩ線矢視断面図である。
【図３】同飴の製造方法を示す説明図である。
【図４】同飴の製造方法を示すフォローチャートである。
【符号の説明】
【００３３】
１・・・・・飴
５・・・・・飴材
５ａ・・・・水飴
５ｂ・・・・水飴
１０・・・・ポイントシート
１０ａ・・・図柄
２０・・・・型
【図１】
0003112012.tif 000003
【図２】
0003112012.tif 000004
【図３】
0003112012.tif 000005
【図４】
0003112012.tif 000006